(57)【要約】【課題】鉄筋コンクリート外断熱建物に、鉄筋コンクリート造バルコニーを熱橋を生じないように、且つ作業性良く付設出来るようにする。【解決手段】断熱層１ｂでコンクリート層の外面を熱的に被覆した外壁の外側に、バルコニー床スラブＳ１を、断熱層１ｂによって建物のコンクリート躯体ＣＲと熱的に遮断し、且つ、耐力壁Ｗ１部でバルコニー床スラブＳ１の内部から断熱層１ｂの貫通孔Ｈ１を通って建物のコンクリート躯体ＣＲ内部に延出した支持棒２群のみによって支持する。【選択図】　　　　　図１
2004108031.tif 000002
【特許請求の範囲】
【請求項１】
断熱層（１ｂ）でコンクリート層の外面を熱的に被覆したコンクリート躯体（ＣＲ）の外側に鉄筋コンクリート造のバルコニー床スラブ（Ｓ１）を突出付設した構造であって、バルコニー床スラブ（Ｓ１）は、断熱層（１ｂ）によって建物のコンクリート躯体（ＣＲ）と熱的に遮断し、且つ、耐力壁（Ｗ１）部でバルコニー床スラブ（Ｓ１）の内部から断熱層（１ｂ）の貫通孔（Ｈ１）を通って建物のコンクリート躯体（ＣＲ）内部に延出した支持棒（２）群のみによって支持した、鉄筋コンクリート造外断熱建物に於けるバルコニー。
【請求項２】
建物の耐力壁（Ｗ１）がセメント板（１ａ）と断熱層（１ｂ）との複合パネル（１）を備え、バルコニー床スラブ（Ｓ１）の基端（Ｂｂ，Ｂｓ）が断熱層（１ｂ）に当接している、請求項１のバルコニー。
【請求項３】
支持棒（２）が、断熱層（１ｂ）の貫通孔（Ｈ１）部では耐火被覆材（３）によって被覆保護されている、請求項１又は２のバルコニー。
【請求項４】
支持棒（２）外面が、エポキシ樹脂等の断熱性の合成樹脂で被覆されている請求項１乃至３のいずれか１項のバルコニー。
【請求項５】
断熱層（１ｂ）の貫通孔（Ｈ１）のバルコニー（Ｂ）側を、支持棒（２）挿通孔（Ｈ２）を有する円板（２９）で閉止して耐火被覆材（３）を充填した、請求項１乃至４のいずれか１項のバルコニー。
【請求項６】
バルコニー床スラブ（Ｓ１）の支持位置（Ｂｂ，Ｂｓ）には溝形鋼片（１５）のフランジ（１５ａ）を断熱層（１ｂ）に当接配置し、溝形鋼片（１５）の孔（Ｈ１５）に各支持棒（２）を挿通した、請求項１乃至４のいずれか１項のバルコニー。
【請求項７】
支持棒（２）が、バルコニー床スラブ（Ｓ１）内で直交する補強筋（１４）を備えている、請求項１乃至６のいずれか１項のバルコニー。
【請求項８】
支持棒（２）が、断熱層（１ｂ）から居住部床スラブ（Ｓ２）側とバルコニー床スラブ（Ｓ１）側とに略等長に延びている、請求項１乃至７のいずれか１項のバルコニー。
【請求項９】
支持棒（２）が、居住部（Ｒ）側の端部に定着板（４３）を備えている、請求項１乃至８のいずれか１項のバルコニー。
【請求項１０】
支持棒（２）が、バルコニー床スラブ（Ｓ１）中では、上端配筋（１３）部の上部支持棒（２ｕ）と、下端配筋（１２）部の下部支持棒（２ｄ）との上下２層配置である、請求項１乃至８のいずれか１項のバルコニー。
【請求項１１】
上層の支持棒（２ｕ）が抗張力鋼棒であり、下層の支持棒（２ｄ）が抗圧縮鋼棒である、請求項１０のバルコニー。
【請求項１２】
バルコニー（Ｂ）の基端中央（Ｃｂ）及び両側基端（Ｂｓ）は耐力壁（Ｗ１）部であり、バルコニー（Ｂ）の先端中央（Ｃｔ）に支持部（Ｗ２）が存在する、請求項１乃至１１のいずれか１項のバルコニー。
【発明の詳細な説明】
【０００１】
【発明の属する技術分野】
本発明は、鉄筋コンクリート造外断熱建物のバルコニー、庇、外廊下など、建物の外壁より突出した床部に関するもの（以下、本明細書中ではバルコニーと総称する）であり、より詳しくは、鉄筋コンクリート外断熱建築物の外壁面に、熱橋を最小限に抑制して付設したバルコニーに関するものであり、建築の技術分野に属するものである。
【０００２】
【従来の技術】
鉄筋コンクリート造外断熱建物は、コンクリート躯体の外側を断熱層で被覆するため、太陽日射の躯体への熱応力が微少となってコンクリート躯体のクラック発生を抑制すること、コンクリート躯体が空気に接触しないためにコンクリートの中性化を抑制して建物の耐久性が向上すること、更には、建物内の温度環境の変化が小さくて熱損失が少なく、居住者の快適環境を維持すると共に、結露が少なくてカビ、ダニの発生が抑制出来て健康面にも優れているため、省エネルギーの高性能建物として評価されている。
【０００３】
しかし、建物より突出するバルコニー、外廊下などのコンクリート床スラブがコンクリート躯体への熱橋（ヒートブリッジ）となり易く、外部の熱環境の建物内部への伝達（熱橋）を抑制する必要があり、従来より、バルコニーコンクリート床スラブからコンクリート躯体内部への熱橋抑制手段としては、（イ）バルコニー床スラブの付設部近傍の建物内部に特別の断熱被覆を付加する手段、（ロ）バルコニー床スラブ全周面を断熱被覆する手段、（ハ）セメント板のバルコニー床支持梁とコンクリート躯体梁との継梁に熱伝導率の低いステンレス鋼を用いる方法等が提案され、実施されている。
【０００４】
即ち、従来例（イ）は、図１１（Ａ）に示す如く、断熱層を外面に備えた外断熱耐力壁を貫通した形態のコンクリートのバルコニー床スラブを内部床スラブ及びコンクリート壁から一体的に突出形成し、バルコニー床スラブの設置部近傍のコンクリート躯体内部に、即ち、耐力壁内面には厚さ３０ｍｍで、内部（居住部）床スラブの表裏面に、厚さ１５ｍｍで各長さ４５０ｍｍ以上の現場発泡の硬質ウレタンフォームを吹付けて断熱補強し、バルコニー床スラブからの熱橋を抑制し、該断熱補強材で発生する段差３０ｍｍ（壁内面では断熱補強材厚３０ｍｍ、床面では断熱補強材厚１５ｍｍ＋保護モルタル厚１５ｍｍ、計３０ｍｍ）を平坦にするため、壁面にあっては、木組み、や軽量鉄骨間仕切材などの下地材を施工して石膏ボード等の仕上材で壁面段差を隠蔽し、床面にあっては、断熱材上面に保護用モルタル層を付加し、モルタル層と面一に、内部床スラブ上にコンクリートの増打ちしている。
【０００５】
また、従来例（ロ）は、図７（Ｂ）に示す如く、コンクリート躯体と一体にコンクリート打設形成したバルコニー床スラブの下面及び前端面に断熱層と外装材の一体化した複合パネルを張設し、バルコニー床スラブの上面には、断熱層を配置し、断熱層上に防水層を張設し、防水層上に保護モルタルか保護コンクリートを配置している。
【０００６】
また、従来例（ハ）は、図７（Ｃ）に示す如く、主として鉄骨鉄筋コンクリート造に適用しているものであって、バルコニーは鉄筋コンクリート造ではなく、コンクリート梁の内部に配置したＨ形鋼の鋼製鉄骨梁に適宜長さのスレンレス製Ｈ形鋼の継梁をボルトで固着し、継梁からＨ形鋼の鋼製鉄骨梁を接続してバルコニーの構造体を形成し、該構造体上にコンクリート板の床材を載置し、バルコニー側の鉄骨梁と居住部（内部）の鉄骨梁間を熱伝導率の低いステンレス鋼で接続して、バルコニー側から内部への熱橋を抑制している。
【０００７】
【発明が解決しようとする課題】
従来例（イ）の手段にあっては、コンクリート躯体内部（居住部）の壁面及び床スラブ表面一部に断熱材を付加するため、コンクリートの打放し仕上げには適応出来ない。
そして、付加断熱材によって生ずる段差（３０ｍｍ）の平坦化処理には工数を要し、作業が煩雑である。
【０００８】
また、従来例（ロ）の手段にあっては、バルコニーの床スラブ表面を全て断熱層で被覆するため、バルコニーからコンクリート躯体内部への熱橋の防止には有効であるが、バルコニー下方の壁とバルコニー下面の断熱層の連結、バルコニー下面の断熱層とバルコニー先端部の断熱層の連結、バルコニー先端部とバルコニー床スラブ上面の断熱層の連結等、断熱層の接続部に空隙を生じないように断熱層を連結する作業が煩雑、且つ困難な作業であり、建築コスト増を招く。
更に、バルコニーに重量物、或いは椅子等の尖った物の載置使用を可能とするためには、防水層上に、更に保護モルタルや保護コンクリートの付設が必要となり、床スラブ厚さ及び使用鉄筋量の増加により、建築コスト増を招く。
【０００９】
また、従来例（ハ）の手段にあっては、鉄筋コンクリート造の建物と鉄骨造のバルコニーとの異種の構造体の組合せとなるため作業性が良くない。
また、鉄骨造のバルコニーは、鉄骨梁にロックウール吹付け等の耐火被覆を施す必要があり、鉄骨梁を隠蔽するための幕板や軸天井を配置するため、建築コスト増となる。
また、継梁の存在により、型枠や断熱層の切欠が生じて作業性が良くない。
しかも、熱橋防止面でも、熱伝導率が、鉄は７１．８ｋｃａｌ／ｍｈ℃、ステンレス鋼は１２．９ｋｃａｌ／ｍｈ℃、コンクリートは１．４ｋｃａｌ／ｍｈ℃であるため、バルコニー鉄骨梁→ステンレス継梁→居住部鉄骨梁の熱伝達での熱橋（ヒートブリッジ）防止効果は小さい。
【００１０】
従来例（イ）、（ロ）の如く、本発明は、上述の如き、各従来例の問題点を改善又は解決するものであり、鉄筋コンクリート造建物に付設作業性の良い鉄筋コンクリート造バルコニーを、より合理的に構築出来る手段を提供するものであって、コンクリート躯体外面の外断熱用の断熱層で鉄筋コンクリートバルコニーを完全に遮断し、外断熱断熱層を貫通する支持棒群をバルコニー床スラブのコンクリート中から居住部床スラブコンクリート中に差し渡すことにより、作業性が容易で、建築費コストを低減し、且つバルコニー側からコンクリート躯体への熱伝導をバルコニーコンクリート中からコンクリート躯体内への差し渡された適数の支持棒のみとして熱橋作用を抑制した、新規且つ画期的なバルコニーを提供するものである。
【００１１】
【課題を解決するための手段、及び作用】
本発明のバルコニーは、例えば図１に示す如く、断熱層１ｂでコンクリート層の外面を熱的に被覆したコンクリート躯体ＣＲの外側に鉄筋コンクリート造のバルコニー床スラブＳ１を突出付設した構造であって、バルコニー床スラブＳ１は、断熱層１ｂによって建物のコンクリート躯体ＣＲと熱的に遮断し、且つ、耐力壁Ｗ１部でバルコニー床スラブＳ１の内部から断熱層１ｂの貫通孔Ｈ１を通って建物のコンクリート躯体ＣＲ内部に延出した支持棒２群のみによって支持した、鉄筋コンクリート造外断熱建物に於けるバルコニーである。
【００１２】
尚、「バルコニー」は、バルコニー、ベランダ等、建物の外周に突出した床を備えたものを意味する。
また、支持棒２の材質は、コスト面からは鋼棒が有利であるが、ＰＣ鋼棒や高張力プラスチック棒等、コスト面と熱橋防止効果とを勘案して選択するものであり、また、支持棒のサイズ、本数は使用支持棒とバルコニーの形状に基づいた強度計算により決定する。
【００１３】
従って、本発明バルコニーにあっては、バルコニーＢの床スラブＳ１が、居住部Ｒの床スラブＳ２及び耐力壁Ｗ１と断熱層１ｂで分離されているため、バルコニーＢ側から居住部Ｒ側への熱橋作用は、バルコニーコンクリート→支持棒→居住部コンクリートのみとなり、例え、支持棒２に鋼棒を用いても、使用鋼棒の合計断面積は従来のバルコニーのコンクリートと居住部コンクリートとの一体化タイプ（図１１（Ａ）、（Ｂ））でのバルコニーＢ側と居住部Ｒ側とを連結している全鉄筋の合計断面積と近似するため、本発明バルコニーＢは、コンクリートの連続を遮断した分（全伝導熱量の１／２強）だけ抑制出来て熱橋作用は１／２以下に軽減出来る。
そして、大径鋼棒の全周面に断熱性プラスチック被覆するか、高強度プラスチック棒を採用するか、支持棒２の材料選択によりバルコニーから居住部への熱橋作用抑制効果はより大となる。
【００１４】
また、本発明バルコニーは、バルコニーＢも鉄筋コンクリート造であって外壁Ｗ１の外側に突出付設した構造ではあるが、バルコニーＢ側とコンクリート躯体側とは別々に独立した配筋となるため、コンクリート躯体ＣＲの外壁Ｗ１及び床スラブＳ２と同時並行、又は別々に型枠組み作業及びコンクリート打設が可能であって、作業計画の自由度があること、従来例（ロ）の如きバルコニー表裏面への断熱層付設作業が不要となること、従来例（イ）の如き居住部内への断熱材付加、及び付加断熱材により生ずる段差の平坦化処理が不要であることより、従来のバルコニー形成手段より形成作業性が良くて建築コストが低減出来る。
【００１５】
また、バルコニーＢは、建物の耐力壁Ｗ１がセメント板１ａと断熱層１ｂとの複合パネル１を備え、バルコニー床スラブＳ１の基端Ｂｂ，Ｂｓ（図３）が断熱層１ｂに当接しているのが好ましい。
この場合、外壁Ｗ１の複合パネル１は、バルコニー床スラブ当接面では外装材としてのセメント板１ａを除去した形態となるため、コンクリート躯体外面（外壁Ｗ１の壁コンクリートＷＣ外面）とバルコニー床スラブ基端面との間隔が断熱層１ｂの厚みのみと狭くなり、従って、支持棒２に対する撓み抑制上有利であると共に、例え、バルコニー床スラブＢに構造上無視出来る程度の微少撓みが生じてもセメント板（外装材）１ａを損傷する恐れはない。
【００１６】
また、支持棒２が、断熱層１ｂの貫通孔Ｈ１部では耐火被覆材３によって被覆保護されているのが好ましい。
この場合、耐火被覆材３としては、耐火性、断熱性に富み、鋏で切断出来る、例えばカオウール（イソライト工業（株）商品名）やフイブロック（積水化学工業（株）商品名）等の使用が好都合である。
そして、支持棒２は、バルコニーの撓みに対抗する強度を常時負担しているが、貫通孔Ｈ１部で耐火被覆材３によって保護されているため、火災時の断熱層１ｂの燃焼に対しても、支持棒２の加熱劣下による支持力の低下は防止出来、バルコニーの耐火性が保証出来る。
【００１７】
また、支持棒２外面が、エポキシ樹脂等の断熱性の合成樹脂で被覆されているのが好ましい。
この場合、支持棒２は、径３５ｍｍの異形棒鋼にエポキシ樹脂紛体の静電塗布で得ることが出来る。
そして、支持棒２には合成樹脂被覆によって防食（防錆）性、断熱性が付与出来るので、安価な鋼棒を採用しても、エポキシ樹脂の熱伝導率は０．１６ｋｃａｌ／ｍｈ℃と小であるため、コンクリート→支持棒の熱伝達が抑制出来て、バルコニーＢからコンクリート躯体ＣＲへの熱橋作用の抑制に有効となり、且つ、コンクリートの中性化に伴う支持棒２の劣下も抑制出来、バルコニーの耐久性が向上する。
【００１８】
また、断熱層１ｂの貫通孔Ｈ１のバルコニーＢ側を、図５（Ａ）に示す如く、支持棒２挿通孔Ｈ２を有する円板２９で閉止して耐火被覆材３を充填するのが好ましい。
この場合、円板２９を予め断熱層１ｂに孔Ｈ１を閉止する形態で止着しておき、支持棒２の挿通後に耐火被覆材３を孔Ｈ１部に充填するか、或いは、支持棒２を円板２９に相通して断熱層１ｂに挿通し、被覆材３の充填後に円板２９を断熱層表面に止着することにより、支持棒２への耐火被覆材３の付与作業が容易となる。
しかも、円板２９が耐火被覆材３の突出を抑制することにより、バルコニー基端Ｂｂ，Ｂｓでの支持棒２全周面とコンクリートとの一体化固着が達成出来、支持棒２は設計値どおりの力学的機能（抗撓み力）を発揮する。
【００１９】
また、バルコニー床スラブＳ１の支持位置Ｂｂ，Ｂｓには溝形鋼片１５のフランジ１５ａを断熱層１ｂに当接配置し、溝形鋼片１５の孔Ｈ１５に各支持棒２を挿通するのが好ましい。
この場合、溝形鋼片１５のフランジ１５ａは、耐火被覆材３のバルコニー側への膨出を阻止して被覆材３の貫通孔Ｈ１内への充填を容易にし、上下のウエブ１５ｂは、支持棒２の上下のコンクリートを保護するため、特に支持棒２上方のコンクリートの破壊を防止するため、コンクリートの被り層が薄く出来、バルコニー床スラブＳ１の厚さの減少及び重量の減少が可能となる。
尚、溝形鋼片１５には、図９（Ｂ）に示す如く、異形棒鋼（径：１３ｍｍ）のアンカー片２８を溶接固定してバルコニー床スラブＳ１のコンクリートと一体化すれば、溝形鋼片１５のコンクリートとの一体化が向上し、バルコニーの支持位置、即ち支持棒２の配置位置での補強効果が増す。
【００２０】
また、支持棒２が、バルコニー床スラブＳ１内で支持棒２に直交する補強筋１４を備えているのが好ましい。
この場合、３５ｍｍ径、異形棒鋼の支持棒２を３００ｍｍで２本配置したものにあっては、補強筋１４として径１３ｍｍの異形棒鋼を支持棒２に２００ｍｍ間隔で直交方向に、上下に、且つ支持棒２両側に突出形態とすれば、支持棒２への負担応力を床スラブＳ１内に補強筋１４を介して好適に分散出来る。
従って、支持棒２が直交補強筋１４を備えることによって支持棒２周囲のコンクリートの負担が軽減出来、バルコニーの耐久性が向上する。
【００２１】
また、支持棒２が、断熱層１ｂから居住部床スラブＳ２側とバルコニー床スラブＳ１側とに略等長に延びているのが好ましい。
支持棒２は、バルコニー床スラブＳ１内の上端筋（抗引張筋）及び下端筋（抗圧縮筋）よりも遥かに太く高価な鋼棒であるため、スラブコンクリート内での定着長さ（鋼棒径×１５）を構造計算上の最短寸法とするのがコスト上有利であり、バルコニー側と居住部側との支持棒２の長さを等長とすれば、支持棒２は必要最短寸法と出来、必要、且つ充分な性能を奏するバルコニーの建築コスト合理化となる。
【００２２】
また、支持棒２が、居住部Ｒ側の端部に定着板４３を備えているのが好ましい。
この場合、定着板４３は、図１０（Ａ）の如く、支持棒２の端部に定着用の座金４１をナットで止着一体化するか、或いは定着用の板材を支持棒２の長さと直交方向で支持棒端に強固に溶着一体化すれば良い。
従って、定着板４３が居住部床スラブＳ２内でコンクリートと一体化して支持棒２のアンカー機能を奏するため、支持棒２によるバルコニーＢの保持が強固となり、支持棒２のコンクリート躯体ＣＲ（居住部床スラブＳ２及び壁コンクリートＷＣ）側での埋設長さの短縮化が可能となる。
【００２３】
また、支持棒２が、バルコニー床スラブＳ１中では、上端配筋１３部の上部支持棒２ｕと、下端配筋１２部の下部支持棒２ｄとの上下２層配置であるのが特に好ましい。
この場合は、図１０（Ａ）の如く、支持棒２のコンクリート躯体ＣＲ側端部に定着板４３を付設しておけば、支持棒端部のコンクリート壁ＷＣ内配置も可能となる。
従って、バルコニーＢの基端Ｂｂ，Ｂｓ上部に作用する引張応力に上部支持棒２ｕが、基端Ｂｂ，Ｂｓ下部に作用する圧縮応力に下部支持棒２ｄが対抗するため、支持棒２ｕ，２ｄの径寸法、及び本数の適切な使用により、構造的に安定、且つ強固なバルコニーが合理的に形成出来る。
【００２４】
また、上下２層形態で配置する支持棒２は、上層の支持棒２ｕがＰＣ鋼の如き抗張力鋼棒であり、下層の支持棒２ｄが抗圧縮鋼棒であるのが好ましい。
この場合、鋼材は抗圧縮力が大であるため、抗圧縮棒としては、コンクリート付着性の良い通常の異形棒鋼を採用すれば良く、図１０（Ａ）の如く、コンクリート躯体ＣＲ側の端部に定着板４３を付設しておけば有利である。
従って、構造計算に基づいたバルコニーＢの合理的設計により、使用資材のコスト合理化が達成出来、特に片持ちスラブ形式のバルコニーＢに適用して顕著な効果を発揮する。
【００２５】
また、本発明バルコニーＢは、図３に示す如き、バルコニーＢの基端中央Ｃｂ及び両側基端Ｂｓは耐力壁Ｗ１部であり、バルコニーＢの先端中央Ｃｔに支持部Ｗ２が存在するものが特に好ましい。
尚、支持部Ｗ２は、図３では、建物の柱列帯を形成する補助壁（耐力壁）であるが、Ｈ型鋼柱や角柱等の支柱形態でも良い。
この場合、支持棒２は、両側基端Ｂｓの耐力壁Ｗ１と、基端中央Ｃｂの耐力壁Ｗ１とに配置出来る。
【００２６】
そして、バルコニー基端Ｂｂに対する曲げモーメントは片持ちスラブ形式に比べて極端に小さくなる（１／４）。
従って、共同住宅等、バルコニーの中間で両側の家屋を仕切る壁の存在する形式の、最も需要の多い建物（図３の間取り住宅の建物）のバルコニーＢの建築が極めて有利に実施出来、従来のバルコニーより遥かに熱橋阻止効果が大で、充分な強度及び耐久性を備えたバルコニーＢが使用資材面、作業面から遥かに低コストで提供出来る。
【００２７】
【発明の実施の形態】
〔例１（図１〜図８）〕
本発明を図３（Ａ）に示す中階段型の共同住宅の間取りを備えた鉄筋コンクリート外断熱建物に適用する。
１戸の住宅は、建物の長辺方向が、Ｌ１（６０００ｍｍ）＋Ｌ２（３０００ｍｍ）の９ｍで、短辺方向が、Ｌ３＋Ｌ４が１０．５ｍで９４．５ｍ２のスペースであり、その内、Ｘ１通からＸ２通の長さ（Ｌ１）が６０００ｍｍ、Ｙ１通からＹ２通の長さ（Ｌ３）１８００ｍｍがバルコニーＢである。
また、バルコニーＢに関しては、長辺方向のＬ１＋Ｌ１及び短辺方向のＬ３の２戸分を一体形成し、バルコニーＢの両側基端Ｂｓ及び基端中央Ｃｂには耐力壁Ｗ１が存在し、基端Ｂｂの中間部には窓、出入口用開口部ＡＷ及び耐力壁Ｗ１が存在し、先端Ｂｔの中央Ｃｔには補助壁としての耐力壁Ｗ２を配置する。
【００２８】
〔バルコニーＢの形状〕
図１、図２に示す如く、バルコニーＢの基端Ｂｂの厚さＴ３は２５０ｍｍで先端厚Ｔ４は２００ｍｍで、パラペットＰａの高さＴ５は１５０ｍｍであり、バルコニー床スラブＳ１は中央から先端へと厚さを減少し、コンクリートの重量も軽減する。
また、パラペットＰａには、慣用の笠木２１、底板２４ｂ及び手摺柱２４ａを介した手摺２４を配置する。
また、床スラブＳ１上及び基端立上り部には慣用の防水層２０を配置する。
【００２９】
〔複合パネル（図６）〕
複合パネル１は、図６に示す如く、外装材としての、厚さＴ１が２５ｍｍで通気用の条溝を備えた押出成形セメント板１ａと、厚さＴ２が７５ｍｍの発泡プラスチック系断熱層（ＪＩＳＡ９５１１の硬質ウレタンフォーム）との接着一体化積層品であり、標準サイズが幅（Ｓ）４９０ｍｍ、高さ（ｈ１）２８８０ｍｍであり、並列接続して壁コンクリートの外枠として用いるため、壁型枠組用のセパレータ挿入孔を中央に、壁コンクリート（耐力壁）に固着する皿ボルト挿入用孔を両端部に備えたものである。
【００３０】
そして、図６のパネル１は、図３（Ａ）のＸ１通、Ｘ３通及びＹ２通に配置するパネル、即ち、バルコニーＢの床スラブＳ１と当接するパネルであり、該パネル１は、図２に示す如く、上部ではバルコニーの床スラブＳ１に当接するため、パネル上端よりｄ１（２６５ｍｍ）を、下部ではバルコニー床スラブＳ１上面の防水層２０処理のため、パネル下端よりｄ２（２００ｍｍ）を、断熱層１ｂのむき出しとする。
【００３１】
〔外壁（図３）〕
外壁の耐力壁Ｗ１の壁量（長さ）及び配置形態は建物の設計により決まるものであるが、耐力壁Ｗ１は、壁厚Ｔｗが１８０ｍｍ厚（最上階は１５０ｍｍ）の鉄筋コンクリート造で、鉄筋は１０ｍｍ径の異形棒鋼の縦横組みのダブルで配筋する。
該耐力壁Ｗ１は、支持棒２挿通部の長さＬ６，Ｌ７が６００ｍｍ以上であれば、バルコニーＢの床スラブＳ１を支持棒２と共に支持可能であるため、バルコニー基端中央部Ｃｂに対応する耐力壁Ｗ１の長さＬ６を９００ｍｍ、バルコニー両端基部に対応する耐力壁Ｗ１の長さＬ７を６００ｍｍとする。
また、バルコニー先端中央の補助耐力壁Ｗ２は１８０ｍｍ厚、６００ｍｍ長とする。
【００３２】
〔バルコニー躯体の形成〕
イ．〔耐力壁Ｗ１の形成〕
図８は、固化した下階のバルコニー床スラブＳ１、及び居住部床スラブＳ２上に耐力壁型枠を立設した状態の断面図である。
まず、固化床スラブＳ１，Ｓ２で挟着形態の下階断熱層１ｂ´と位置合わせしてバルコニー側に桟木（幅５０ｍｍ、厚さ２５ｍｍ）４ａをバルコニー床スラブＳ１の表面Ｓｆにコンクリート釘打ちし、慣用のセパレータ５ａ、Ｐコン５ｂ、ＫＰコン５ｃ、フォームタイ６の型枠金物を取付けた複合パネル１を、断熱層１ｂを桟木４ａに当接して立設し、チェーンで仮固定する。
【００３３】
また、複合パネル１の下部のセメント板１ａの欠如部には、桟木４ｂを断熱層１ｂに当接配置し、パネル中間部にはパイプ（横端太）８ａを当接し、パネル上部には、壁型枠とバルコニーＢの型枠とを固定する桟木４ｃの下部に縦桟木４ｄにパイプ（横端太）８ａを当接し、慣用のリブ座金９をフォームタイ６に嵌挿してナット１０によりパイプ（横端太）８ａを固定し、複合パネルの外型枠を形成する。
【００３４】
次に慣用の壁鉄筋の配筋組立てを行い、内側の壁型枠を組立てる。
内側の壁型枠は、桟木４ａ´を耐力壁Ｗ１の位置に符号して床スラブ表面Ｓｆ´にコンクリート釘で固定し、予め型枠合板７ｂの上下に桟木４ｅ，４ｃ´を配置した型枠パネルを桟木４ａ´に載置して４ｅと４ａ´とを釘固定する。
立設した型枠パネルの型枠合板７ｂより突出したＰコン５ｂのネジにフォームタイ６を締着固定し、パイプ（縦端太）８ｂを型枠に当接立設し、外側（バルコニー側）型枠組立て同様に、パイプ（横端太）８ａ、リブ座金９を用い、フォームタイ６にナット１０を締着し、パイプ８ａ，８ｂを固定し内型枠を形成する。
【００３５】
ロ．〔床スラブ型枠の形成〕
床スラブ型枠は、パイプサポート１１を約１．２ｍ間隔で床スラブＳ１，Ｓ２表面に立設し、パイプサポート１１の上部にパイプ（大引）８ｃを載置し、次いで、パイプ（大引）８ｃに間隔３０ｃｍでパイプ（根太）８ｄを載置配列し、パイプ（根太）８ｄに型枠合板７ａ（バルコニー側）、７ａ´（居住部側）を載置し、桟木４ｃ，４ｃ´及びパイプ（大引）８ｃに配置した桟木４ｆ（図４）に釘打ち固定して床スラブ型枠を形成する。
次いで、床スラブ型枠上に、居住部Ｒ、バルコニーＢの順で床スラブ筋を配筋する。
【００３６】
ハ．〔バルコニー床スラブ下端筋の配筋〕
バルコニーＢの床スラブＳ１の配筋組立ては、順次、短辺方向の下端筋１２ａ、長辺方向の下端筋１２ｂ、長辺方向の上端筋１３ｂ、補強筋１３ｃ、短辺方向の上端筋１３ａの順で下部から組み上げる。
即ち、下端筋１２は、Ｙ２側（基端側）に床スラブ基端Ｂｂと支持棒２との補強のための長さ２００ｍｍの屈曲アンカー部１２ａ´を、Ｙ１側にパラペットＰａの縦筋兼用の長さ１５０ｍｍの屈曲アンカー部１２ａ”（図７）を備えた１０ｍｍ径の異形棒鋼の短辺方向下端筋１２ａを間隔２００ｍｍでアンカー部１２ａ´，１２ａ”を上向きに配筋し、次に両端に長さ２００ｍｍの屈曲アンカー部（図示せず）を備えた１３ｍｍ径の異形棒鋼の長辺方向下端筋１２ｂを間隔２００ｍｍでアンカー部を上向きに配筋し、下端筋１２ａ，１２ｂを針金結束する。
【００３７】
ニ．〔支持棒２の配置（図３、図４、図５）〕
支持棒２は、図４（Ｂ）に示す如く、径３５ｍｍ、長さＬ１０が１３００ｍｍで、表面に防食、断熱のためのエポキシ樹脂を被覆した異形棒鋼である。
図３（Ｂ）に示す如く、力学的に固定端となるＸ２通から両側にＬ１２（２００ｍｍ）で１本の支持棒２ａを、回転端となるＸ１通（Ｘ３通）にはＹ１通よりＬ１４（２００ｍｍ）から間隔Ｌ１５（３００ｍｍ）で４本の支持棒２ｂを、Ｙ２通でＸ１通からＬ１３（４００ｍｍ）に、補強支持棒２ｃ１本を、Ｘ１通からＸ２通までに計６本を配置する。
即ち、１つのバルコニー床スラブＳ１に就いては、中央部Ｃｂに２本、両側基端Ｂｓに各長手方向計８本、基端Ｂｂでの短辺方向計２本の合計１２本の支持棒２を適用する。
【００３８】
図５（Ａ）は支持棒配置状態の側面図であり、図５（Ｂ）は図５（Ａ）の矢印Ｂ視図、図５（Ｃ）は同矢印Ｃ視図である。
支持棒２の取付けは、図５（Ａ）に示す如く、床スラブＳ１厚の中央で定められた位置に、支持棒挿通用の径９０ｍｍの貫通孔Ｈ１を断熱層１ｂに穿設し、貫通孔Ｈ１に符号して、中央に４０ｍｍ径の挿通孔Ｈ２を有する直径１２０ｍｍで２ｍｍ厚のプラスチック円板２９をバルコニーＢ側から断熱層１ｂに貼着し、支持棒２を円板２９に貫通してバルコニーＢ側と居住部Ｒ側とに等長（Ｌ１１）突出し、配筋用の慣用のスペーサー３０で支持棒２の適所を支承して姿勢を保持する。
【００３９】
次いで、居住部Ｒ側より支持棒２と貫通孔Ｈ１との空間に、耐火被覆材３としての耐火、耐水、断熱、吸音、遮音機能を具備するブランケット状の繊維系不燃材（商品名カオウール）を充填して、支持棒２の火災時の断熱層１ｂの燃焼による劣下を阻止する。
そして、居住部Ｒ側では断熱層１ｂと耐火被覆材３とに粘着テープを貼る。
【００４０】
ホ．〔バルコニー床スラブ上端筋の配筋〕
次に、バルコニーＢの床スラブＳ１上端筋１３として、両端に長さ２００ｍｍの屈曲アンカー部（図示せず）を備えた１３ｍｍ径の異形棒鋼の長辺方向上端筋１３ｂを間隔２００ｍｍでアンカー部を下向きに配置し、各上端筋１３ｂ間には１３ｍｍ径で３５００ｍｍ長の異形棒鋼の補強筋１３ｃをＸ２通から長手方向両側に等長延出の形態で配置して、Ｘ２通を中心とするＬ１／４の特に大きな負荷応力に対抗させる。
【００４１】
次に、Ｙ２通側（バルコニー基端側）に長さ２００ｍｍの屈曲アンカー部１３ａ´（図５（Ａ））を備えた１０ｍｍ径の異形棒鋼の短辺方向上端筋１３ａを２００ｍｍ間隔に配筋し、長辺方向上端筋１３ｂの下方に適宜高さのスペーサー（図示せず）を配置し、上端筋１３の高さを保持して上端筋１３ａ，１３ｂ，１３ｃを結束維持する。
また、短辺方向下端筋１２ａと型枠合板７ａとの間にはスペーサーブロック（図示せず）を挿入して鉄筋の位置を保持する。
【００４２】
ト．〔床スラブＳ１の形成〕
次に、図７、図８に示す如く、複合パネル１の断熱層１ｂの上端辺に、幅１６ｗ（２００ｍｍ）の型枠合板１６を、断熱層１ｂから、居住部Ｒ側には１５ｍｍを、バルコニーＢ側には１１０ｍｍ突出させて載置し、型枠合板１６を適宜間隔（標準：９００ｍｍ）に配置した支持金具１７によって床スラブＳ１下面の型枠合板７ａと固定する。
【００４３】
そして、居住部Ｒ側床スラブＳ２型枠、壁型枠、及びバルコニー床スラブＳ１型枠内にコンクリート打設し、居住部Ｒ側床スラブＳ２にあっては、上端の型枠合板１６を表面Ｓｆ´の規定定規とし、バルコニーＢ側床スラブＳ１にあっては、型枠合板１６の下面を床スラブ表面Ｓｆの定規としてコンクリートの鏝仕上げし、バルコニー床スラブＳ１の表面Ｓｆを居住部Ｒ床スラブＳ２の表面Ｓｆ´より段差ｄ３（図５（Ａ）、標準：１１ｍｍ）保って形成する。
即ち、型枠合板１６の使用により、複合パネル１の上端の断熱層１ｂ端面へのコンクリート付着を阻止し、上方複合パネル１の立設が居住部床スラブＳ２のコンクリート不陸に影響されないようにする。
また、パラペットＰａも、バルコニー床スラブＳ１の型枠形成と同時に、図７に示す如く、型枠１８ａ、型枠１８ｂ及び桟木１９ａで型枠組みし、バルコニー床スラブＳ１へのコンクリート打設により形成する。
【００４４】
〔バルコニーＢの仕上げ〕
図１、図２に示す如く、複合パネル１の下部の高さｄ２（２００ｍｍ）のセメント板１ａ欠如部の断熱層１ｂに、１５ｍｍ厚のラスモルタル２３を塗布し、モルタル２３の乾燥後に、モルタル２３と、コンクリート打設時に金鏝仕上げした床スラブコンクリート表面Ｓｆにアスファルトプライマーを塗布し、アスファルトルーフィングを載置して歩行用アスファルト防水層２０を形成する。
勿論、パラペットＰａの立上り部及び上端辺も同様に防水層を形成する。
【００４５】
パラペットＰａ上端辺には、慣用の防水層の押え、及び仕上見切材の笠木２１を載置する。
また、複合パネル１の立上り防水層２０の上端にも、笠木と同様の役目を成す水切金具２２を配置する。
次いで、パラペットＰａの上端辺には、後付けアンカー（図示せず）でパラペットＰａに固定した底板２４ｂを介して支柱（手摺柱）２４ａを立設し、手摺（アルミ製）２４を設置する。
また、バルコニー床スラブＳ１の下面の複合パネル１との空間にはシーリング２５ａを、水切金具２２と複合パネル１のセメント板１ａ下端との空間にはシーリング２５ｂを充填する。
【００４６】
〔実施例効果〕
得られるバルコニーＢにあっては、使用した計１２本の支持棒２ａ，２ｂ，２ｃの断熱層１ｂ貫通部での合計断面積が、同一バルコニーを従来例イ（図１１（Ａ））、ロ（図１１（Ｂ））で形成する場合のバルコニー側から耐力壁側へ連通する配向鉄筋（連通床スラブ筋）の合計断面積の略半分（片持スラブでは３５〜４５％となる）と出来ること、バルコニー床スラブＳ１のコンクリートと建物コンクリート躯体とを、７５ｍｍ厚の硬質ウレタンフォーム断熱層１ｂで完全遮断したことにより、熱橋作用は従来例イ（図１１（Ａ））、ロ（図１１（Ｂ））のもののコンクリート打ち放しバルコニーの１／２以下に軽減出来る。
【００４７】
また、バルコニー床スラブＳ１は、コンクリート打設形成のみで建物のコンクリート躯体ＣＲとは熱的に遮断されたバルコニーＢとなるため、その後の、例えば従来例イでのコンクリート躯体内側での断熱材付与、従来例ロ（図１１（Ｂ））でのバルコニー全周面への断熱層付与等の熱橋抑制対策が不要であり、バルコニーＢの形成が工数少なく、且つ、従来例イ、ロのバルコニーよりも遥かに低コストで形成出来る。
【００４８】
また、支持棒への耐火被覆材３の付与作業はあるものの、支持棒２の配置はバルコニーＢ及び居住部Ｒへのコンクリート配筋時に施工出来、バルコニー床スラブＳ１の型枠組み、配筋、コンクリート打設が、建物コンクリート躯体側（耐力壁Ｗ１及び居住部床スラブＳ２）と同時並行的に実施出来、従来のバルコニーの最も作業性の良い図１１（Ａ）（従来例イ）でのコンクリート打ち放し状態までと略同等の作業性で遂行出来る。
また、支持棒２の断熱層１ｂの貫通孔Ｈ１への配置に際しては、円板２９を予め断熱層１ｂのバルコニー側に貼着するため、耐火被覆材３（カオウール）の充填が簡単な手作業で容易に実施出来る。
【００４９】
〔例２（図９）〕
図９に示す如く、支持棒挿通孔Ｈ１５を支持棒配置間隔に穿設した溝形鋼片１５を断熱層１ｂのバルコニー側に当接配置する。
この場合、溝形鋼片１５として、高さ１５０ｍｍ、上下ウエブ１５ｂ厚が６．５ｍｍ、フランジ１５ａ厚が１０ｍｍ、挿通孔Ｈ１５から側方に７５ｍｍ突出させる。
溝形鋼片１５の固定は、下方フランジ１５ｂの両端の取付孔（図示せず）を介して床スラブ型枠７ａに洋釘で固定すれば良い。
そして、溝形鋼片１５の側端部には鉄筋アンカー片２８を予め溶接固定しておく。
また、支持棒２には、バルコニー側、居住部側共に補強筋１４を上下から挟着形態に結束する。
【００５０】
従って、耐火被覆材３の充填作業に際しては、溝形鋼片１５が、例１での円板２９同様に、断熱層１ｂのバルコニー側で貫通孔Ｈ１を閉止するため、充填作業が容易であり、支持棒２への負荷応力の補強筋１４を会した分散効果と、上下ウエブ、特に上方ウエブ１５ｂによるバルコニー床スラブ基端Ｂｅのコンクリート補強により、バルコニー床スラブＳ１のコンクリート厚を例１のものより薄く出来る。
即ち、例１のバルコニーＢは安全率を勘案してコンクリート基端Ｂｂ厚Ｔ３を２５０ｍｍとしたが、例２の手段を適用すれば構造計算上は、コンクリート基端Ｂｂの厚さＴ３は、１５０ｍｍに減少可能となる。
【００５１】
〔例３（図９（Ｃ））〕
図９（Ｃ）は、居住部床スラブＳ２の表面Ｓｆ´とバルコニー床スラブＳ１の表面Ｓｆとの段差ｄ４が大きい場合の例１の対処実施例である。
即ち、居住部ＲからバルコニーＢ側への出入口穴によって１００ｍｍ程度の段差が生ずる場合は、居住部床スラブＳ２の下部に段差ｄ４と同じ高さの段差ｄ５の梁型状のドロップパネル２６を設けて支持棒２を定着する。
この場合、ドロップパネル２６の幅Ｌ１６は６５０ｍｍとすれば構造計算上、支持棒２のコンクリート躯体ＣＲ側の６００ｍｍ延長部のドロップパネル２６内での保持は可能である。
また、ドロップパネル２６内では、直径１０ｍｍの異形棒鋼の肋筋２７を１００ｍｍ間隔で配筋し、肋筋２７の内側には直径１３ｍｍの異形棒鋼の鉄筋３１を間隔１００ｍｍで配筋すれば良い。
従って、本願発明は、居住部Ｒの床スラブＳ２と段差ｄ４のあるバルコニーＢも、ドロップパネル２６の配置により形成出来る。
【００５２】
〔例４（図１０）〕
例４は、例１に対して支持棒の配置形態を変更するものであり、図１０（Ａ）は支持棒２の配置状態側面図であり、（Ｂ）は図（Ａ）の矢印Ｂ視図である。
図示のとおり、支持棒２を上端配筋１３側と下端筋１２側との上下２層配置とし、上部支持棒２ｕとして、異形棒鋼の３倍の強度を有するＰＣ鋼棒の２２ｍｍ径をバルコニー床スラブＳ１の幅Ｌ３の５０％を越える状態に配置して、バルコニー基端Ｂｂの引張力に対抗させ、下部支持棒２ｄとして、３５ｍｍ径の短寸の異形棒鋼を配置して、バルコニー下部の圧縮力に対抗させるものである。
【００５３】
そして、引張支持棒２ｕの居住部Ｒ側端部には、厚さ９ｍｍで６５ｍｍ辺の正方形座金４１をナット４２で固定した定着板４３を配置し、圧縮支持棒２ｄの居住部Ｒ側端部には、厚さ１４ｍｍで１辺１００ｍｍの正方形座金４１をナット４２で固定した定着板４３を配置し、バルコニーＢ側では、上部支持棒２ｕを上端筋１３と、下部支持棒２ｄを下端筋１２と結束し、各引張棒２ｕ及び圧縮棒２ｄ共、居住部側で強固に保持するものである。
本例では、１本の長尺引張棒（ＰＣ鋼棒）２ｕに対応して２本の短寸圧縮棒２ｄを採用したが、引張棒２ｕ及び圧縮棒２ｄの配置形態、本数等は、構造計算上の許容範囲内で適宜選択決定する。
【００５４】
従って、例４にあっては、バルコニー床スラブＳ１の引張応力及び圧縮応力に好適に対処出来るため、突出長さの大きなバルコニーへの適用に有利であり、片持ちスラブ形式のバルコニー形成に適している。
そして、各支持棒２ｕ，２ｄの居住部Ｒ側端での定着板４３によるコンクリート保持力を増大させたことにより、大きく突出したバルコニーＢ内へのＰＣ鋼棒の引張棒２ｕの必要長（バルコニー突出長Ｌ３の１／２以上）配置が、居住部Ｒ内での支持棒の短寸配置の下に可能となる。
勿論、この場合も、引張支持棒２ｕ、圧縮支持棒２ｄ共、全周面に断熱性合成樹脂を塗布し、断熱性及び防食性（防錆性）を付与するのが、熱橋阻止及び耐久性面から好ましい。
【００５５】
〔その他〕
本発明バルコニーＢを付設する外壁面の耐力壁Ｗ１以外の開口部を有する非耐力壁ＡＷ部は、耐力壁Ｗ１同様に複合パネル１と壁コンクリートＷＣで形成しても良いが、本出願人等の所有する特許第２９９９９８０号の断熱複合パネルのみの帳壁とするのが好ましく、この場合は非耐力壁ＡＷ部は、もはや壁コンクリートＷＣが存在せず、従って外壁ＡＷ部での壁型枠組み、及びコンクリート打設が不要となり、建築施工が合理化出来る。
また、支持棒２として、実施例で採用した低コストの異形棒鋼に替えて、鋼材より遥かに機械的物性に優れたアラミド系等の高強度プラスチック棒材や高強度プラスチック複合材棒を採用すれば、熱橋防止効果のより大きなバルコニーが得られる。
【００５６】
【発明の効果】
本発明バルコニーＢは、鉄筋コンクリート造外断熱建物から突出形態の鉄筋コンクリート造バルコニーでありながら、バルコニー床スラブＳ１をコンクリート躯体ＣＲと外壁の断熱層１ｂで熱的に完全遮断するため、バルコニー床スラブＳ１から建物コンクリート躯体ＣＲへの熱橋が阻止出来、鉄筋コンクリートバルコニーＢの形成後は、何ら熱橋防止処置を施す必要がなく、建物コンクリート躯体内部の壁及び床は、コンクリート打ち放しの状態で使用に供することが可能となる。
【００５７】
また、バルコニー床スラブＳ１と建物コンクリート躯体とは、単に支持棒２のみで連結するだけであって、バルコニーＢ側の配筋と建物躯体（居住部）側の配筋の連続性が無いため、バルコニーＢ側の型枠組み、配筋、コンクリート打設作業が、建物コンクリート躯体ＣＲのそれと同時並行的にも、別作業としても遂行可能となり、鉄筋コンクリート造バルコニーの建築の作業性が良い。
そして、支持棒２の配置形態、配置本数は、構造計算に基づいて自在であるため、連続したバルコニーや、床スラブが突出した庇、及び外廊下等への採用も自在である。
従って、本発明は、耐力壁Ｗ１を含む外壁の配置形態と、支持棒の材料、寸法の選択とも併せ、機能上からも、美観上からの建物の設計の自由度が大となり、需要者（建築主）の要望に応えたバルコニー付住宅の提供を、しかも低コストでの提供を可能とする、極めて実用性の高い発明である。
【図面の簡単な説明】
【図１】本発明バルコニーの一部切欠斜視図である。
【図２】図１のバルコニーの縦断側面図である。
【図３】本発明実施例建物の間取図であり、（Ａ）は全体図、（Ｂ）は（Ａ）の要部拡大図である。
【図４】実施例説明図であって、（Ａ）は図３（Ｂ）のＡ−Ａ線断面図、（Ｂ）は支持棒２の外観図である。
【図５】本発明実施例説明図であって、（Ａ）は配筋状態説明断面図、（Ｂ）は（Ａ）の矢印Ｂ視図、（Ｃ）は（Ａ）の矢印Ｃ視図である。
【図６】本発明の耐力壁に用いる複合パネル１の一部切欠全体斜視図である。
【図７】本発明のバルコニー型枠及び配筋状態説明斜視図である。
【図８】本発明の型枠組みの一部切欠縦断面図である。
【図９】本発明の変形例図であって、（Ａ）は例２の要部断面図、（Ｂ）は（Ａ）のＢ部拡大斜視図、（Ｃ）は例３の要部断面図である。
【図１０】本発明の例４の説明図であって、（Ａ）は要部断面図、（Ｂ）は（Ａ）の矢印Ｂ視図である。
【図１１】従来例説明斜視図であって、（Ａ）は従来例イを、（Ｂ）は従来例ロを、（Ｃ）は従来例ハを示す図である。
【符号の説明】
１，１´：複合パネル、　　　　　　　　　１ａ：セメント板、
１ｂ，１ｂ´：断熱層、　　　　　　　　　２，２ａ，２ｂ，２ｃ：支持棒、
２ｄ：下部支持棒（圧縮棒、支持棒）、
２ｕ：上部支持棒（引張棒、支持棒）、
３：耐火被覆材、
４ａ，４ｂ，４ｃ，４ｄ、４ｅ，４ｆ：桟木、
５ａ：セパレータ、　　　　　　　　　　　５ｂ：Ｐコン、
５ｃ：ＫＰコン、　　　　　　　　　　　　６：フォームタイ、
７ａ，７ａ´，７ｂ：型枠合板、
８ａ，８ｂ，８ｃ，８ｄ：型枠パイプ、　　９：リブ座金、
１０：ナット、　　　　　　　　　　　　　１１：パイプサポート、
１２：下端筋（下端配筋）、　　　　　　　１２ａ：短辺方向下端筋、
１２ａ´，１３ａ´：屈曲アンカー部、　　１２ｂ：長辺方向下端筋、
１３：上端筋（上端配筋）、　　　　　　　１３ａ：短辺方向上端筋、
１３ｂ：長辺方向上端筋、　　　　　　　　１３ｃ：補強筋、
１４：補強筋、　　　　　　　　　　　　　１５：溝形鋼片、
１５ａ：フランジ、　　　　　　　　　　　１５ｂ：ウエブ、
１６：型枠合板、　　　　　　　　　　　　１７：支持金具、
１８ａ，１８ｂ：型枠、　　　　　　　　　１９ａ，１９ｂ：桟木、
２０：防水層、　　　　　　　　　　　　　２１：笠木、
２２：水切金具、　　　　　　　　　　　　２３：モルタル（ラスモルタル）、２４：手摺、　　　　　　　　　　　　　　２４ａ：手摺柱、
２４ｂ：底板、　　　　　　　　　　　　　２５ａ，２５ｂ：シーリング、
２６：ドロップパネル、　　　　　　　　　２７：肋筋、
２８：アンカー片、　　　　　　　　　　　２９：円板、
３０：スペーサー、　　　　　　　　　　　３１：鉄筋、
４１：座金、　　　　　　　　　　　　　　４２：ナット、
４３：定着板、
Ｂ：バルコニー、　　　　　　　　　　　　Ｂｂ：基端（バルコニー基端）、
Ｂｓ：両側基端（バルコニー基端）、　　　　Ｂｔ：先端（バルコニー先端）、Ｃｂ：基端中央、　　　　　　　　　　　　Ｃｔ：先端中央、
Ｈ１：貫通孔（孔）、　　　　　　　　　　　Ｈ２：挿通孔（挿入用孔）、
Ｈ１５：支持棒挿通孔（挿入用孔）、　　　　　Ｒ：居住部、
Ｓ１：バルコニー床スラブ（床スラブ）、
Ｓ２：居住部床スラブ（床スラブ）、　　　　Ｓｆ，Ｓｆ´：床スラブ表面、
Ｌ１：バルコニー長、　　　　　　　　　　　Ｌ２：洋間の長さ、
Ｌ３：バルコニー幅、　　　　　　　　　　　Ｌ４：居間、台所の長さ、
Ｗ１：耐力壁（外壁）、　　　　　　　　　　Ｗ２：補助壁（耐力壁支持部）、ＡＷ：窓、出入口開口部（非耐力壁）
【図１】
2004108031.tif 000003
【図２】
2004108031.tif 000004
【図３】
2004108031.tif 000005
【図４】
2004108031.tif 000006
【図５】
2004108031.tif 000007
【図６】
2004108031.tif 000008
【図７】
2004108031.tif 000009
【図８】
2004108031.tif 000010
【図９】
2004108031.tif 000011
【図１０】
2004108031.tif 000012
【図１１】
2004108031.tif 000013